(57)【要約】【課題】橋桁上への敷設が簡単にできるプレキャストコンクリート板を提供することである。【解決手段】プレキャストコンクリート板１は、間隙部２で分離された複数のコンクリート板３、４が長辺方向に沿って配筋されたトラス筋５で接合され、このトラス筋５で接合されたコンクリート板３、４に緊張材６が間隙部２を横切って配設され、この緊張材６によりコンクリート板３、４にプレストレスが付与された構成である。【選択図】    図１
2004232229.tif 000002
【特許請求の範囲】
【請求項１】
間隙部で分離された複数のコンクリート板が長辺方向に沿って配筋されたトラス筋で接合され、このトラス筋で接合されたコンクリート板に緊張材が間隙部を横切って配設され、この緊張材によりコンクリート板にプレストレスが付与されたことを特徴とするプレキャストコンクリート板。
【請求項２】
間隙部に補強用トラス筋が緊張材に添わせて配筋されたことを特徴とする請求項１に記載のプレキャストコンクリート板。
【請求項３】
間隙部に補強材がトラス筋と同じ方向で設けられたことを特徴とする請求項１または２に記載のプレキャストコンクリート板。
【請求項４】
コンクリート板の間隙部との対向端部に起立部が形成されたことを特徴とする請求項１〜４のいずれかに記載のプレキャストコンクリート板。
【請求項５】
間隙部で分離された複数のコンクリート板が長辺方向に沿って配筋されたトラス筋で接合されたことを特徴とするプレキャストコンクリート板。
【発明の詳細な説明】
【０００１】
【発明の属する技術分野】
本発明はプレキャストコンクリート板に関するものである。
【０００２】
【従来の技術】
従来、高架橋の構築にはプレキャストコンクリート板が使用され、この構築方法として、特開２００１−１３２１４９号公報の発明がある。この構築に使用されるプレキャストコンクリート床は橋桁からのスタットボルトを挿入するための孔が形成され、かつ長辺側には連結筋が突出された接合段部が形成された構成になっている。
【０００３】
【特許文献１】
特開２００１−１３２１４９号公報（図１）
【０００４】
【発明が解決しようとする課題】
しかし、このプレキャストコンクリート板の橋桁への敷設は、スタッドボルトを孔に挿入させながら、隣接したプレキャストコンクリート板に密接しなければならないため手間がかかった。
本発明はこれらの問題に鑑みてなされたものであり、その目的は、橋桁上への敷設が簡単にできるプレキャストコンクリート板を提供することである。
【０００５】
【課題を解決するための手段】
以上の課題を解決するためのプレキャストコンクリート床は、間隙部で分離された複数のコンクリート板が長辺方向に沿って配筋されたトラス筋で接合され、このトラス筋で接合されたコンクリート板に緊張材が間隙部を横切って配設され、この緊張材によりコンクリート板にプレストレスが付与された構成である。また間隙部に補強用トラス筋が緊張材に添わせて配筋されたことを含む。また間隙部に補強材がトラス筋と同じ方向で設けられたことを含む。またコンクリート板の間隙部との対向端部に起立部が形成されたことを含むものである。
またプレキャストコンクリート床は、間隙部で分離された複数のコンクリート板が長辺方向に沿って配筋されたトラス筋で接合された構成である。
【０００６】
間隙部によりプレキャストコンクリート板を橋桁に簡単に敷設することができる。コンクリート板全体にプレストレスが付与されたことにより、プレキャストコンクリート板を橋や高架橋の床板として使用することができる。間隙部に設けた補強用トラス筋または補強材によって分離されたコンクリート板の全体にプレストレスを付与することができる。
【０００７】
【発明の実施の形態】
以下、本発明のプレキャストコンクリート板（以下ＰＣ板という）の実施の形態について説明する。このＰＣ板は建物や高架橋の床板として使用するものである。このＰＣ板には６つの実施の形態があり、各実施の形態において同じ構成は同じ符号を付して説明し、異なった構成にのみ異なった符号を付して説明する。
【０００８】
図１は第１の実施の形態のＰＣ板１である。このＰＣ板１は間隙部２で分離された二枚のコンクリート板３、４が長辺方向に配筋されたトラス筋５で接合され、これらのコンクリート板３、４にわたって配設された緊張材６で、コンクリート板３、４にプレストレスが付与された構成になっている。すなわち、このＰＣ板１はトラス筋５が配筋された一枚のコンクリート板７の中途部に間隙部２が設けられたものである。このような間隙部２で分離されたコンクリート板３、４であってもトラス筋５で接合されているため、コンクリート板７全体としてプレストレスを付与することができる。
【０００９】
トラス筋５は三角形状に配置された一本の上端筋８と二本の下端筋９とが波形のラチス筋１０で接合された三角トラスであり、一部がコンクリート板３、４の上面から突出して配筋されている。トラス筋５はこの三角トラスに限らず、一本の上端筋と一本の下端筋とがラチス筋で接合されたトラス筋（図示せず）であってもよい。
【００１０】
また緊張材６はＰＣ鋼線、ＰＣ鋼撚線、ＰＣ鋼棒のいずれかであり、トラス筋５の両側に間隙部２を横切って配設されている。なお、この緊張材６はトラス筋５の片側にのみ配設することもできる。
【００１１】
また図２は第２の実施の形態のＰＣ板１１である。このＰＣ板１１は間隙部２に補強用トラス筋１２を緊張材６に添わせて配筋したもの、すなわちトラス筋５が配筋された箇所のみに設けたものであり、これ以外は第１の実施の形態のＰＣ板１と同じ構成である。このコンクリート板３、４にプレストレスを付与するには、トラス筋５だけでも十分な耐力を有しているため座屈する恐れはないが、補強用トラス筋１２を緊張材６に添わせて配筋すると、トラス筋５の両側が補強されるため、それ以上の耐力を得ることができる。
【００１２】
また図３は第３の実施の形態のＰＣ板１３である。このＰＣ板１３もトラス筋５を補強するために間隙部２の両側に鉄骨などの補強材１４を設けたものであり、これ以外は第１の実施の形態のＰＣ板１と同じ構成である。
【００１３】
また図４は第４の実施の形態のＰＣ板１５である。このＰＣ板１５は間隙部２を２箇所に設けたものであり、これ以外は第１または第２の実施の形態のＰＣ板１、１１と同じ構成である。このように間隙部２を２箇所に設けると、両側に跳ね出し部１６を設けたＰＣ板１５が形成できる。
【００１４】
また図５は第５の実施の形態のＰＣ板１７である。このＰＣ板１７は小さなコンクリート板４の端部に壁高欄を形成するための起立部１８を設けたものであり、これ以外は第１の実施の形態のＰＣ板１と同じ構成である。この起立部１８により壁高欄の形成が簡単になる。なお、この起立部１８は第２〜第４の実施の形態のＰＣ板１１、１３、１５にも設けることができる。
【００１５】
また図６は第６の実施の形態のＰＣ板１９ある。このＰＣ板１８は二枚のコンクリート板３、４にわたって緊張材が配設されていないものであり、これ以外は第１の実施の形態のＰＣ板１と同じ構成である。すなわち、このＰＣ板１８はトラス筋５によって二枚のコンクリート板３、４が間隙部２をもって接合されたものである。
このＰＣ板１９は、上記のＰＣ板１４のようにトラス筋５を補強するために鉄骨などの補強材１４（または補強用トラス筋１２）を設けることもでき、またＰＣ板１５のように間隙部２を２箇所に設けることもでき、ＰＣ板１７のように小さなコンクリート板４の端部に壁高欄を形成するための起立部１８を設けることもできる。
【００１６】
また図７および図８は、上記のＰＣ板１７を使用した高架橋２０であり、梁桁２１上に間隙部２を位置させて敷設したＰＣ板１７上にコンクリート２２を打設したものである。このようなＰＣ板１７は橋桁２１上に敷設しやすく、かつ構築時における跳ね出し部１６への支保工２３も必要としない。
【００１７】
また図９は、第４の実施の形態のＰＣ板１５を使用した高架橋２０であり、一枚のＰＣ板１５で両側の跳ね出し部１６が形成でき、かつ構築時における跳ね出し部１６への支保工２３も必要としない。
【００１８】
【発明の効果】
ＰＣ板の橋桁への敷設が簡単にできる。
【００１９】
コンクリート板全体にプレストレスが付与されたことにより、橋や高架橋の床板として使用できる。
【００２０】
間隙部に設けた補強用トラス筋または補強材によってコンクリート板全体にプレストレスを付与することができる。
【図面の簡単な説明】
【図１】第１の実施の形態のＰＣ板を示し、（１）は平面図、（２）は（１）のＡ−Ａ線断面図である。
【図２】第２の実施の形態のＰＣ床板の平面図である。
【図３】第３の実施の形態のＰＣ床板の平面図である。
【図４】（１）および（２）は第４の実施の形態のＰＣ床板の平面図である。
【図５】第５の実施の形態のＰＣ板を示し、（１）は平面図、（２）は（１）のＢ−Ｂ線断面図である。
【図６】第６の実施の形態のＰＣ板を示し、（１）は平面図、（２）は（１）のＣ−Ｃ線断面図である。
【図７】第１の実施の形態のＰＣ板を使用した高架橋の平面図である。
【図８】図７のＤ−Ｄ線断面図である。
【図９】第４の実施の形態のＰＣ板を使用した高架橋の断面図である。
【符号の説明】
１、１１、１３、１５、１７、１９  ＰＣ板
２  間隙部
３、４  コンクリート板
５  トラス筋
６  緊張材
７  一枚のコンクリート板
８  上端筋
９  下端筋
１０  ラチス筋
１２  補強用トラス筋
１４  補強材
１６  跳ね出し部
１８  起立部
２０  高架橋
２１  橋桁
２２  コンクリート
２３  支保工
【図１】
2004232229.tif 000003
【図２】
2004232229.tif 000004
【図３】
2004232229.tif 000005
【図４】
2004232229.tif 000006
【図５】
2004232229.tif 000007
【図６】
2004232229.tif 000008
【図７】
2004232229.tif 000009
【図８】
2004232229.tif 000010
【図９】
2004232229.tif 000011